(57)【要約】【課題】既存の自動販売機に何らの改造を加えずに搭載してレシートなどの印刷物を発行する印刷物発行装置を提供する。【解決手段】本体キャビネットの外扉２の前面に紙幣識別装置に対応する紙幣挿入口，ないしはオプション品であるカードリード／ライターに対応するカード挿入口の取付部を備えた自動販売機を対象に、前記の紙幣挿入口もしくはカード挿入口の取付部位にフラッパ付きの化粧枠１１を配した上で、該化粧枠の内側に印刷物の発行ボタンおよび印刷物払出し口を臨ませて外扉の庫内側にプリンタユニット２１を装着するものとし、該プリンタユニットは、ロール紙印字プリンタ１５を内装したユニットケース１３の前面に発行ボタン１７を設けるとともに、発行ボタンに並べてケースの前面内側には前記プリンタに通じる印刷物払出し通路となる用紙ガイド１８を設けた構成で、前記発行ボタン，印刷物払出しガイドの開口端をその前方に配したフラッパ付き化粧枠の内側に臨ませて設置する。【選択図】図１
2008171064.tif 000002
【特許請求の範囲】
【請求項１】
本体キャビネットの外扉前面に紙幣識別装置に対応する紙幣挿入口，ないしはカードリード／ライターに対応するカード挿入口の取付部を備えた自動販売機を対象に、該自動販売機に搭載してレシートなどの印刷物を発行する印刷物発行装置であって、
前記の紙幣挿入口もしくはカード挿入口の取付部位にフラッパ付き化粧枠を配した上で、該化粧枠の内側に印刷物の発行ボタンおよび印刷物払出し口を臨ませて外扉の庫内側にプリンタユニットを装着したことを特徴とする自動販売機の印刷物発行装置。
【請求項２】
請求項１に記載の印刷物発行装置において、プリンタユニットは、ロール紙印字プリンタを内蔵した箱型ユニットケースの前面に発行ボタンを設置するとともに、該発行ボタンに並べてケースの前面内側には前記プリンタに通じる印刷物払出しガイドを設けた構成になり、前記発行ボタン，印刷物払出しガイドの開口端をユニットケースの前方に配したフラッパ付き化粧枠の内側に臨ませて配置したことを特徴とする自動販売機の印刷物発行装置。
【請求項３】
請求項２に記載の印刷物発行装置において、ユニットケースがその背面に下端縁をヒンジとして開閉可能に被せたカバーを備え、該カバーの内壁面にプリンタを装着したことを特徴とする自動販売機の印刷物発行装置。
【請求項４】
請求項２に記載の印刷物発行装置において、プリンタユニットのケースに設けた印刷物払出しガイドの開口端とその前方に配した化粧枠の下枠との間に、ガイドが上になる高低段差を設定したことを特徴とする自動販売機の印刷物発行装置。
【請求項５】
請求項２に記載の印刷物発行装置において、印刷物払出しガイドの底面に印刷物払出し口を通じて外部から浸入した雨水の排水路を形成したことを特徴とする自動販売機の印刷物発行装置。
【請求項６】
請求項２に記載の印刷物発行装置において、プリンタユニットのケース底面を前傾傾斜壁としてその前端部に排水口を開口したことを特徴とする自動販売機の印刷物発行装置。
【請求項７】
請求項２に記載の印刷物発行装置において、プリンタユニットのケースに内部点検用の覗き窓を設けたことを特徴とする自動販売機の印刷物発行装置。
【発明の詳細な説明】
【技術分野】
【０００１】
本発明は、在来の自動販売機に搭載して客が購入した商品代金のレシート（領収書），クーポン券などを発行する印刷物発行装置（オプション品）に関する。
【背景技術】
【０００２】
まず、在来の自動販売機の構成を図５，図６に示す。図５において、１は自動販売機の本体キャビネット、２は外扉、３は扉ロック、４は外扉２の前面上半部に画成した商品見本のディスプレイ室、５は商品取出口、６はコイン投入口、７は金額表示パネル、８は釣銭取出口、９は外扉２の背面に装備した紙幣識別装置（ビルバリデータ）（不図示）に対応する紙幣挿入口、１０はプリペードカード，クレジットカードなどのカードリード／ライター（オプション品）に対応するカード挿入口を後付けするためにあらかじめ外扉２に開けた窓孔を塞いでおく盲板である。ここで、前記の紙幣挿入口９は、図６で示すように化粧枠１１（樹脂成形品）の前面にフラッパ１２を設けた構造になり、機内のビルバリデータに通じる紙幣取り込み通路の開口端をフラッパ１２で覆い、外部から雨水，塵埃が紙幣挿入口に侵入しないように防護している（例えば、特許文献１参照）。
【０００３】
なお、自動販売機にカードリード／ライター（オプション品）を追加装備する場合には、前記した盲板１０を取り外し、ここに紙幣挿入口９と同構造のフラッパ付き化粧枠を取り付けた上で、その背後にカードリード／ライターを装着するようにしている。
一方、ユーザーのニーズとして、最近ではプリペードカード，クレジットカードによる販売機能のほかに、自動販売機で商品を購入した客に印刷したレシート（領収書）を発行する、あるいは商品販売時にクーポン券，おみくじ，占い等の印刷物を発行する機能の要望がある。また、このようなレシート発行のニーズに応えるために機内にプリンタを搭載し、このプリンタで印刷，発行したレシートを外扉の釣銭取出口へ送り出すようにした構成の自動販売機が知られている（例えば、特許文献２参照）。
【特許文献１】特開２００６−２３９２６号公報（図１，図２）
【特許文献２】特開平６−２３１３４５号公報（図１，図７）
【発明の開示】
【発明が解決しようとする課題】
【０００４】
ところで、前記の特許文献２に開示されている自動販売機では、設計段階から機内にプリンタを設置するために機器配置の設計変更を要することから、既存の自動販売機に印刷物発行装置を簡単に追加装備することができない。また、プリンタで印刷，発行したレシートを釣銭取出口から取り出すようにする方式では、釣銭無しの客がレシートを取り忘れたりするおそれがあって使い勝手性が悪い問題もある。
そこで、本発明は、自動販売機のメーカーがオプション品として用意したレシートなどの各種印刷物を発行する装置について、ユーザーの要請に応じて既存の自動販売機にも何らの改造を加えることなく簡単に後付けして使用，操作できるようにした印刷物発行装置を提供することを目的とする。
【課題を解決するための手段】
【０００５】
上記目的を達成するために、本発明によれば、本体キャビネットの外扉前面に紙幣識別装置に対応する紙幣挿入口，ないしはオプション品であるカードリード／ライターに対応するカード挿入口の取付部を備えた自動販売機を対象に、
前記の紙幣挿入口もしくはカード挿入口の取付部位にフラッパ付きの化粧枠を配した上で、該化粧枠の内側に印刷物の発行ボタンおよび印刷物払出し口を臨ませて外扉の庫内側にプリンタユニットを装着する（請求項１）。
また、本発明は、前記のプリンタユニットを次記のような具体的な態様で構成するものとする。
（１）プリンタユニットを、ロール紙印字プリンタを内蔵した箱型ユニットケースの前面に発行ボタンを設けるとともに、該発行ボタンに並べてケースの前面内側には前記プリンタに通じる印刷物払出しガイドを設けた構成になり、前記発行ボタン，印刷物払出しガイドの開口端をユニットケースの前方に配したフラッパ付き化粧枠の内側に臨ませて設置する（請求項２）。
（２）前項（１）において、ユニットケースの背面には、下端縁をヒンジとして開閉可能に被せたカバーを備え、該カバーの内面にプリンタを装着する（請求項３）。
（３）前項（１）において、プリンタユニットのケースに設けた印刷物払出しガイドの開口端とその前方に配した化粧枠の下枠縁との間に、ガイドが上になる高低段差を設定する（請求項４）。
（４）前項（１）において、印刷物払出しガイドの底面に印刷物払出し口を通じて外部から浸入した雨水の排水路を形成する（請求項５）。
（５）前項（１）において、プリンタユニットのケース底面を前傾傾斜壁としてその前端部に排水口を開口する（請求項６）。
（６））前項（１）において、プリンタユニットのケースに内部点検用の覗き窓を設ける（請求項７）。
【発明の効果】
【０００６】
上記の構成によれば、既存の自動販売機の外扉に標準装備されている紙幣挿入口，ないしはカードリード／ライター（オプション品）使用のために用意されているカード挿入口の取付部を利用することで、キャビネット本体に何らの改造を要することなく簡単に印刷物発行装置（オプション品）を装着して操作，使用することができてユーザー，客へのサービス性向上が図れる。しかも、プリンタユニットに設けた印刷物の発行ボタンを外扉前面に配したフラッパ付き化粧枠に臨ませて配置したことで発行ボタンの操作がし易く、かつ発行したレシートなどの取り忘れも防げる。また、化粧枠の前面をフラッパで覆うことで雨水，塵埃の侵入を抑制できる。
また、ユニットケースの背面に設けたカバーにプリンタを装着することで、プリンタのロール紙交換作業が楽に行え、さらにユニットケースに覗き窓を設けてたことで、プリンタに装荷したロール紙のセット状態もケース外方から簡単に視認できる。
【０００７】
さらに、前記のプリンタユニットについて、そのユニットケースに設けた印刷物払出しガイドの開口端と化粧枠の下枠縁との間に高低段差を設定する、印刷物払出しガイドの底面に印刷物払出し口を通じて外部から浸入した雨水の排水路を形成する、プリンタユニットのケース底面を前傾傾斜壁としてその前端部に排水口を開口することにより、簡単な構造で一層高い雨水対策が実現できる。
【発明を実施するための最良の形態】
【０００８】
以下、本発明の実施の形態を図１〜図４に示す実施例に基づいて説明する。なお、図示実施例は既存の自動販売機に装備されている紙幣挿入口を利用し、ここにビルバリデータ（紙幣識別装置）に代えてオプション品である本発明の印刷物発行装置を設置した場合の構成例を示しており、実施例の図中で図５，図６に対応する部材には同じ符号を付してその説明は省略する。
この実施例では、自動販売機の外扉の前面に配したフラッパ付き化粧枠１１の背後に次記の構成になるプリンタユニット２１を設置し、該ユニットのユニットケース１３と化粧枠１１とを連結して外扉２の背面に固定支持している。
ここで、フラッパ付き化粧枠１１は先記の特許文献２に開示されている紙幣挿入口（図６参照）と構造，外形サイズが同じで、フラッパ１２はその上端部１２ａを化粧枠１１に軸支して開閉可能に支持されている。
【０００９】
一方、プリンタユニット２１は箱型のユニットケース１３の中にロール紙印字プリンタ１５を内蔵し、ユニットケース１３の前面には印刷物の発行ボタン（押しボタンスイッチ）１７を配置するとともに、さらに該発行ボタン１７の下方位置に開口するようケースの前面内側には前記プリンタ１５に通じる印刷物の払い出し通路となる用紙ガイド１８を備えている。そして、図２，図４に示すユニット組立状態では、発行ボタン１７，および印刷物払出しガイド１８の開口端がその前方に配した化粧枠１１の内側に臨んで外扉２の前面に露呈することになる。
また、前記のユニットケース１３はその背面に開閉可能なカバー１３ａを備えており、このカバー１３ａの内面にプリンタ１５を装着している。なお、カバー１３ａはその下端がヒンジ１３ｂを介してケース本体に連結し、カバー上端を締結ねじ（化粧ねじ）１４で閉位置に保持するようにしている。そして、プリンタ１５に収容した印字用のロール紙１６の先端を引出して前記の用紙ガイド１８に挿入している。
【００１０】
上記の構成で、自動販売機の利用客が商品購入時に前記化粧枠１１のフラッパ１２を開いて発行ボタン１７を押すと、商品搬出後にプリンタ１５が始動して購入代金のレシート（領収書）を印刷，発行し、図２のように前方に払い出す。なお、ここで発行する印刷物の種類としては、商品代金のレシートのほかに、クーポン券，占いなどがある。また、プリンタ１５にロール紙１６を補給する場合には、外扉２を開いた上で、図３のようにユニットケース１３のカバー１３ａを開いてロール紙１６をセットする。
次に、前記のプリンタユニット２１における雨水対策，その他の細部構造について説明する。まず、雨水対策の構造について、図１に示すように化粧枠１１の下枠縁とユニットケース１３の前面に臨む用紙ガイド１８の開口端縁との間にガイド１８が上になる高低段差Δｈを設定し、化粧枠１１とフラッパ１２との間の隙間に浸透した雨水が印刷物の払出し通路へ入り込むのを防ぐようにしている。また、図４で示すように用紙ガイド１８の底面（板面）には複数箇所に排水孔１８ａを開口するとともに、この排水孔１８ａに連ねてプリンタ１５の前方に壁１９を設け、さらにユニットケース１３の底壁を前傾させた上でその前端縁に排水孔１３ｃを開口している。これにより、化粧枠１１のフラッパ１２を開いた状態で外からユニットケース１３の印刷物払出し通路に侵入した雨水は前記の排水孔１８ａから壁１９を伝わってユニットケースの底壁に滴下し、ここから排水孔１３ｃを通じて排出される。これにより、プリンタ１５およびロール紙１６を雨水から安全に防護できる。
【００１１】
また、図示例では前記プリンタユニット２１のユニットケース１３をその前面に配した化粧枠１１と連結するために、化粧枠１１の左右側縁から後方に突き出す係合爪１１ａ（図１参照）を設けておき、この係合爪１１ａをユニットケース１３の左右側壁に開口した係合角穴に引っ掛けて連結するようにしている。また、ユニットケース１３を外扉２に固定するには、ユニットケース１３の設置位置に合わせて外扉２の背面にＺ字型のねじ座２ａを設けておき、このねじ座２ａとユニットケース１３との間にねじ２０を螺合して締結する。
さらに、前記ユニットケース１３の側面には覗き窓２２（図１参照）を開口している。この覗き窓２２により、プリンタ１５にロール紙１６を補給してユニットケース１３のカバー１３ａを閉じた状態で、プリンタ１５から引出したロール紙１６の先端が用紙ガイド１８に正しく挿入セットされている否かをユニットケース１３の外方から視認してチエックすることができる。
【００１２】
なお、上記した図示実施例は自動販売機に標準装備されている紙幣挿入口を利用し、ここにビルバリデータに代えて印刷物発行装置を装着する例について述べたが、図５に示したカードリード／ライター（オプション品）のカード挿入口を取り付けるために外扉２の前面に開口されている窓穴を利用し、ここにカードリード／ライターに代わる印刷物発行装置を設置することもできる。この場合には図５に示した盲板１０を取り外した上で、この外扉の窓穴に先記実施例と同様にフラッパ付き化粧枠１１を配し、その背後にプリンタユニット２１を装着することで簡単に対応できる。
【図面の簡単な説明】
【００１３】
【図１】本発明の実施例による印刷物発行装置の組立構造を表す縦断側面図
【図２】図１の印刷物発行装置を外扉に装着した状態の正面図
【図３】図１におけるプリンタユニットのユニットケースカバーを開いた状態を表す図
【図４】図１における要部構造の拡大斜視図
【図５】本発明の実施対象となる自動販売機の正面図
【図６】図５における紙幣挿入口およびその周辺の正面図
【符号の説明】
【００１４】
２    外扉
９    紙幣挿入口
１０    カードリード／ライター用カード挿入口の取付けに対応する盲板
１１    化粧枠
１２    フラッパ
１３    プリンタユニットのユニットケース
１３ａ  カバー
１３ｂ  ヒンジ
１３ｃ  排水孔
１５    プリンタ
１６    ロール紙
１７    発行ボタン
１８    用紙ガイド
１８ａ  排水孔
２１    プリンタユニット
２２    覗き窓
【図１】
2008171064.tif 000003
【図２】
2008171064.tif 000004
【図３】
2008171064.tif 000005
【図４】
2008171064.tif 000006
【図５】
2008171064.tif 000007
【図６】
2008171064.tif 000008